(57)【要約】【課題】  ＬＡＮ機器に対して確実なリンクアップを行い、リンクが回復しないデッドロック状態を回避可能な中継伝送装置を提供する。【解決手段】  エラー検出器２２１は入力信号の中から障害通知符号を識別し、プログラマブルカウンタ２２３は任意の回数分障害通知符号をカウントする。カウンタリセットタイマ２２２は一定時間経過後、プログラマブルカウンタ２２３をリセットする。光出力リセットタイマ２２４はプログラマブルカウンタ２２２がフルカウントした際にＬＡＮ信号中継器に対して一定の間、光出力を停止して再開させる。【選択図】      図２                                                  
2005136530.tif 000002
【特許請求の範囲】
【請求項１】
ＬＡＮ（Ｌｏｃａｌ  Ａｒｅａ  Ｎｅｔｗｏｒｋ）伝送路を介してＬＡＮ信号を伝送する中継伝送装置によってＬＡＮ機器間を接続するネットワークであって、前記ＬＡＮ伝送路で起こる障害を監視する監視手段と、前記監視手段で検出された障害通知符号の数が予め設定された一定数に達した時に対向するＬＡＮ機器に対して光出力の停止及び再開を実行する制御手段とを前記中継伝送装置に有することを特徴とするネットワーク。
【請求項２】
前記中継伝送装置は、前記ＬＡＮ信号をトランスペアレントに伝送することを特徴とする請求項１記載のネットワーク。
【請求項３】
前記制御手段は、前記光出力を停止させてから予め設定された所定時間後に前記光出力を再開させることを特徴とする請求項１または請求項２記載のネットワーク。
【請求項４】
前記一定数を外部から設定自在としたことを特徴とする請求項１から請求項３のいずれか記載のネットワーク。
【請求項５】
前記所定時間を外部から設定自在としたことを特徴とする請求項１から請求項４のいずれか記載のネットワーク。
【請求項６】
前記監視手段で検出された障害通知符号の数を計数する計数手段を含み、前記計数手段を予め設定された時間毎にリセットするを特徴とする請求項１から請求項５のいずれか記載のネットワーク。
【請求項７】
前記計数手段をリセットする時間を外部から設定自在としたことを特徴とする請求項６記載のネットワーク。
【請求項８】
ＬＡＮ（Ｌｏｃａｌ  Ａｒｅａ  Ｎｅｔｗｏｒｋ）伝送路を介してＬＡＮ信号を伝送してＬＡＮ機器間を接続する中継伝送装置であって、
前記ＬＡＮ伝送路で起こる障害を監視する監視手段と、
前記監視手段で検出された障害通知符号の数が予め設定された一定数に達した時に対向するＬＡＮ機器に対して光出力の停止及び再開を実行する制御手段とを有することを特徴とする中継伝送装置。
【請求項９】
前記ＬＡＮ信号をトランスペアレントに伝送することを特徴とする請求項８記載の中継伝送装置。
【請求項１０】
前記制御手段は、前記光出力を停止させてから予め設定された所定時間後に前記光出力を再開させることを特徴とする請求項８または請求項９記載の中継伝送装置。
【請求項１１】
前記一定数を外部から設定自在としたことを特徴とする請求項８から請求項１０のいずれか記載の中継伝送装置。
【請求項１２】
前記所定時間を外部から設定自在としたことを特徴とする請求項８から請求項１１のいずれか記載の中継伝送装置。
【請求項１３】
前記監視手段で検出された障害通知符号の数を計数する計数手段を含み、前記計数手段を予め設定された時間毎にリセットするを特徴とする請求項８から請求項１２のいずれか記載の中継伝送装置。
【請求項１４】
前記計数手段をリセットする時間を外部から設定自在としたことを特徴とする請求項１３記載の中継伝送装置。
【請求項１５】
ＬＡＮ（Ｌｏｃａｌ  Ａｒｅａ  Ｎｅｔｗｏｒｋ）伝送路を介してＬＡＮ信号を伝送する中継伝送装置によってＬＡＮ機器間を接続するネットワークにおいて光信号を制御する光信号制御方法であって、前記中継伝送装置が、前記ＬＡＮ伝送路で起こる障害を監視し、その監視で検出された障害通知符号の数が予め設定された一定数に達した時に対向するＬＡＮ機器に対して光出力の停止及び再開を実行することを特徴とする光信号制御方法。
【請求項１６】
前記中継伝送装置は、前記ＬＡＮ信号をトランスペアレントに伝送することを特徴とする請求項１５記載の光信号制御方法。
【請求項１７】
前記中継伝送装置が、前記光出力を停止させてから予め設定された所定時間後に前記光出力を再開させることを特徴とする請求項１５または請求項１６記載の光信号制御方法。
【請求項１８】
前記一定数を外部から設定自在としたことを特徴とする請求項１５から請求項１７のいずれか記載の光信号制御方法。
【請求項１９】
前記所定時間を外部から設定自在としたことを特徴とする請求項１５から請求項１８のいずれか記載の光信号制御方法。
【請求項２０】
前記障害通知符号の数を計数する計数手段を予め設定された時間毎にリセットするを特徴とする請求項１５から請求項１９のいずれか記載の光信号制御方法。
【請求項２１】
前記計数手段をリセットする時間を外部から設定自在としたことを特徴とする請求項２０記載の光信号制御方法。
【発明の詳細な説明】
【技術分野】
【０００１】
本発明はネットワーク、中継伝送装置及びそれらに用いる光信号制御方法に関し、特にイーサネット（Ｒ）伝送路の障害に対する高信頼化に関する。
【背景技術】
【０００２】
近年、ネットワーク需要の拡大によって、イーサネット（Ｒ）の広域化が望まれており、それに伴ってイーサネット（Ｒ）伝送路の障害に対する高信頼化が求められている。この長距離化、高信頼性を実現するために、イーサネット（Ｒ）信号をＳＤＨ／ＳＯＮＥＴ（Ｓｙｎｃｈｒｏｎｏｕｓ  Ｄｉｇｉｔａｌ  Ｈｉｅｒａｒｃｈｙ／Ｓｙｎｃｈｒｏｎｏｕｓ  Ｏｐｔｉｃａｌ  ＮＥＴｗｏｒｋ）網で中継伝送する機器が製品化されてきている。
【０００３】
１０００ＢＡＳＥ−Ｘのイーサネット（Ｒ）信号をトランスペアレントに伝送する中継伝送装置ではイーサネット（Ｒ）信号のカプセル技術を用い、効率的な伝送を行っている。そこで、カプセル化技術の一つであるＴｒａｎｓｐａｒｅｎｔ−ＧＦＰ（Ｇｅｎｅｒｉｃ  Ｆｒａｍｉｎｇ  Ｐｒｏｃｅｄｕｒｅ）［ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  ｓｔａｎｄａｒｄｉｚａｔｉｏｎ  ｓｅｃｔｏｒ）勧告Ｇ．７０４１］では、図１に示すような中継伝送装置１，２を伴うギガビットイーサネット（Ｒ）機器間接続において、中継伝送装置１，２はイーサネット（Ｒ）伝送路で発生する障害を受信した場合、出力側のＬＡＮ（Ｌｏｃａｌ  Ａｒｅａ  Ｎｅｔｗｏｒｋ）［イーサネット（Ｒ）］機器３，４に対して／Ｖ／コードあるいはｉｎｖａｌｉｄコードを送信すること、もしくは中継伝送装置１，２の光出力を停止することで警報転送することが勧告されており、より確実に警報転送する手段として光出力停止がよく用いられている。
【０００４】
【特許文献１】特開２００３−０８７３５５号公報
【特許文献２】特開２００３−１１０５８５号公報
【発明の開示】
【発明が解決しようとする課題】
【０００５】
イーサネット（Ｒ）機器によっては、入力側の光出力が停止した際に、対向するイーサネット（Ｒ）機器に対してｉｎｖａｌｉｄコードを含む不安定な信号が送信される。この場合、障害が回復した時でも、中継伝送装置の光出力が停止し、対向するギガビットイーサネット（Ｒ）機器同士が互いにｉｎｖａｌｉｄコードを継続的に出力し合う状態が発生する。
【０００６】
このため、イーサネット（Ｒ）機器の接続するポート間のオートネゴシエーションが成立せず、リンクが確立しない状態が継続することになり、デッドロック状態に陥るという問題が発生する。
【０００７】
このデッドロック状態に陥る状態を図６に示す。図６において、ファイバ１０２において障害が発生した場合、ＬＡＮ機器３はｉｎｖａｌｉｄコードを送信する。しかしながら、一定時間経過後、ＬＡＮ機器３はオートネゴシエーションリスタート要求を出力し、対向するＬＡＮ機器４に対してオートネゴシエーションの成立を図ろうとする。すなわち、ＬＡＮ機器３はＬＡＮ機器４に対して、ｉｎｖａｌｉｄコードとオートネゴシエーションリスタートとを一定の間隔で出力することによって障害復旧を促している。
【０００８】
ＬＡＮ機器３のＬＡＮ信号を中継する中継伝送装置１は、ｉｎｖａｌｉｄコードを受信すると、対極の中継伝送装置２に対して障害を通知する信号を転送する。中継伝送装置２ではこの障害通知信号を監視し、中継伝送装置２内部で警報状態を作り出し、警報状態に依存して、ＬＡＮ機器４に対する光出力を停止する。
【０００９】
さらに、ＬＡＮ機器４は光入力が停止されているので、対向するＬＡＮ機器３に対してリンク障害を促すために、ｉｎｖａｌｉｄコードを転送する。このｉｎｖａｌｉｄコードは中継伝送装置２によって中継伝送装置１に転送されるが、上述した障害通知とは逆方向に（中継伝送装置２から中継伝送装置１へ）転送される。
【００１０】
中継伝送装置１は障害通知信号によって警報状態となり、ＬＡＮ機器３への光出力停止を行う。この様子を図６に示す。したがって、中継伝送装置１，２が光出力を停止し、ＬＡＮ機器３，４がｉｎｖａｌｉｄコードを転送し続けているため、オートネゴシエーションが成立せずに、リンクが普及しないデッドロック状態に陥ることとなる。
【００１１】
また、障害が回復した場合でも、ＬＡＮ機器３はｉｎｖａｌｉｄコードを出力しているため、中継伝送装置１の警報状態が解除されず、デッドロック状態から抜け出せないことになる。
【００１２】
上記のように、イーサネット（Ｒ）信号をＳＤＨ／ＳＯＮＥＴ網で中継伝送するためには、符号変換が必須であるが、符号変換の方式または中継距離によってイーサネット（Ｒ）機器間のオートネゴシエーションが正常に完了しない場合があり、これを抑制する必要がある。
【００１３】
そこで、本発明の目的は上記の問題点を解消し、ＬＡＮ機器に対して確実なリンクアップを行うことができ、リンクが回復しないデッドロック状態を回避することができるネットワーク、中継伝送装置及びそれらに用いる光信号制御方法を提供することにある。
【課題を解決するための手段】
【００１４】
本発明によるネットワークは、ＬＡＮ（Ｌｏｃａｌ  Ａｒｅａ  Ｎｅｔｗｏｒｋ）伝送路を介してＬＡＮ信号を伝送する中継伝送装置によってＬＡＮ機器間を接続するネットワークであって、前記ＬＡＮ伝送路で起こる障害を監視する監視手段と、前記監視手段で検出された障害通知符号の数が予め設定された一定数に達した時に対向するＬＡＮ機器に対して光出力の停止及び再開を実行する制御手段とを前記中継伝送装置に備えている。
【００１５】
本発明による中継伝送装置は、ＬＡＮ（Ｌｏｃａｌ  Ａｒｅａ  Ｎｅｔｗｏｒｋ）伝送路を介してＬＡＮ信号を伝送してＬＡＮ機器間を接続する中継伝送装置であって、
前記ＬＡＮ伝送路で起こる障害を監視する監視手段と、
前記監視手段で検出された障害通知符号の数が予め設定された一定数に達した時に対向するＬＡＮ機器に対して光出力の停止及び再開を実行する制御手段とを備えている。
【００１６】
本発明による光信号制御方法は、ＬＡＮ（Ｌｏｃａｌ  Ａｒｅａ  Ｎｅｔｗｏｒｋ）伝送路を介してＬＡＮ信号を伝送する中継伝送装置によってＬＡＮ機器間を接続するネットワークにおいて光信号を制御する光信号制御方法であって、前記中継伝送装置が、前記ＬＡＮ伝送路で起こる障害を監視し、その監視で検出された障害通知符号の数が予め設定された一定数に達した時に対向するＬＡＮ機器に対して光出力の停止及び再開を実行している。
【００１７】
すなわち、本発明のネットワークは、ＩＥＥＥ（Ｉｎｓｔｉｔｕｔｅ  Ｅｌｅｃｔｒｉｃａｌ  ａｎｄ  Ｅｌｅｃｔｒｏｎｉｃｓ  Ｅｎｇｉｎｅｅｒｓ）８０２．３で規定されている１０００ＢＡＳＥ−Ｘのイーサネット（Ｒ）信号をカプセル化し、トランスペアレントに中継する伝送路において、伝送路で生じる障害通知符号を検出し、障害通知符号が一定回数に達すると、対向するギガビットイーサネット（Ｒ）機器に対して光出力を停止して伝送路障害を通知し、任意時間経過後に光出力を再開することによって、対向するギガビットイーサネット（Ｒ）機器の確実なリンクの切断及び復旧を提供するものである。
【００１８】
より具体的に説明すると、本発明のネットワークでは、中継伝送装置が光ファイバで接続されるイーサネット（Ｒ）機器が送出するイーサネット（Ｒ）信号に対してＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  ｓｔａｎｄａｒｄｉｚａｔｉｏｎ  ｓｅｃｔｏｒ）勧告Ｇ．７０４１で規定されるＧＦＰ（Ｇｅｎｅｒｉｃ  Ｆｒａｍｉｎｇ  Ｐｒｏｃｅｄｕｒｅ）等のカプセル化を施し、次段の中継伝送装置に伝送する。次段の中継伝送装置では受信した信号をデカプセル化し、対向するギガビットイーサネット（Ｒ）機器にイーサネット（Ｒ）信号を送信する。
【００１９】
このような中継伝送装置を伴うイーサネット（Ｒ）機器間接続において、中継伝送装置は光ファイバで発生する障害を、障害通知符号を用いて次段の中継伝送装置に伝送する。次段の中継伝送装置では障害通知符号を監視し、一定時間の間に障害通知符号が任意の回数に達すると、対向するイーサネット（Ｒ）機器に対して光ファイバの光出力を停止し、任意時間経過後にその光出力を再開する。これと同様に、光ファイバで発生する障害は中継伝送装置によって検出され、対向するイーサネット（Ｒ）機器に接続する光ファイバの光出力を停止／再開する。
【００２０】
このようにして、本発明のネットワークでは、イーサネット（Ｒ）機器間接続の障害を中継伝送装置によって検出し、対向するイーサネット（Ｒ）機器に対して光出力の停止及び再開を行うので、イーサネット（Ｒ）機器に対する確実なリンクの切断及びリンクの復旧を提供することが可能となる。よって、本発明のネットワークでは、リンクが回復しないデッドロック状態を回避することが可能となる。
【００２１】
また、本発明のネットワークでは、中継伝送装置が行う障害通知符号を監視し、光出力を停止及び再開する機構を、外部制御によって任意に設定自在としているので、あらゆる種類のイーサネット（Ｒ）機器間の接続に対しても、上記と同様の効果を期待される。
【発明の効果】
【００２２】
本発明は、以下に述べるような構成及び動作とすることで、ＬＡＮ機器に対して確実なリンクアップを行うことができ、リンクが回復しないデッドロック状態を回避することができるという効果が得られる。
【発明を実施するための最良の形態】
【００２３】
次に、本発明の実施例について図面を参照して説明する。図１は本発明の一実施例によるネットワークの構成を示すブロック図である。図１において、本発明の一実施例によるネットワークは中継伝送装置１，２と、ＬＡＮ（Ｌｏｃａｌ  Ａｒｅａ  Ｎｅｔｗｏｒｋ）［例えば、ギガビットイーサネット（Ｒ）やイーサネット（Ｒ）］機器３，４とから構成され、中継伝送装置１とＬＡＮ機器３とは光ファイバ１０１，１０２で接続され、中継伝送装置２とＬＡＮ機器４とは光ファイバ２０１，２０２で接続され、ＬＡＮ機器３とＬＡＮ機器４とは中継伝送装置１，２を介して接続されている。
【００２４】
中継伝送装置１，２はＬＡＮ信号中継器１１，２１と、光出力制御器１２，２２とからなり、ＬＡＮ機器３，４からの信号を中継伝送している。ＬＡＮ信号中継器１１，２１はＬＡＮ機器３，４から出力されるＬＡＮ信号をＧＦＰ（Ｇｅｎｅｒｉｃ  Ｆｒａｍｉｎｇ  Ｐｒｏｃｅｄｕｒｅ）等のカプセル化を施し、対向するＬＡＮ信号中継器２１，１１に伝送する。
【００２５】
光出力制御器１２，２２はＬＡＮ信号中継器２１，１１が送信する信号のうち、障害通知符号を検出してカウントする機能を有している。また、光出力制御器１２，２２はＬＡＮ信号中継器１１，２１がＬＡＮ機器３，４に対して出力する光信号を一定の間、停止したり、再開させる機能を有している。
【００２６】
ＬＡＮ機器３，４はイーサネット（Ｒ）スイッチであり、ＩＥＥＥ（Ｉｎｓｔｉｔｕｔｅ  Ｅｌｅｃｔｒｉｃａｌ  ａｎｄ  Ｅｌｅｃｔｒｏｎｉｃｓ  Ｅｎｇｉｎｅｅｒｓ）８０２．３にて規定されているフレームを転送する機能と、オートネゴシエーション機能と、１０００ＢＡＳＥ−Ｘのポート３１，４１とを備えている。
【００２７】
上記の図１において、ＬＡＮ機器３に接続される光ファイバ１０１においてリンク障害が発生した場合、中継伝送装置１はその障害を障害通知符号として中継伝送装置２に転送する。中継伝送装置２は入力される障害通知符号を一定時間の間カウントする。
【００２８】
中継伝送装置２は障害通知符号のカウント値が予め設定したカウント数に達すると、ＬＡＮ機器４に対する光出力を停止し、任意時間経過後にその光出力を再開する。また、中継伝送装置２は一定時間内に障害通知符号のカウント値が予め設定したカウント数に達しない場合、障害通知符号をカウントするカウンタをリセットする。
【００２９】
このように、本実施例では、１０００ＢＡＳＥ−Ｘのイーサネット（Ｒ）信号をトランスペアレントに中継伝送する装置を伴うＬＡＮ機器３，４間の接続において、伝送路に障害が発生した場合、その障害を監視する中継伝送装置１，２で障害状況に応じてＬＡＮ機器３，４間の光信号を切断及び再開しているので、ＬＡＮ機器３，４に対して確実なリンクアップを提供し、ＬＡＮ機器３，４間がオートネゴシエーションのデッドロック状態に陥るのを回避することができる。
【００３０】
図２は図１の光出力制御器２２の詳細な構成を示すブロック図である。図２において、光出力制御器２２は入力信号の中から障害通知符号を識別するエラー検出器２２１と、任意の回数分障害通知符号をカウントするプログラマブルカウンタ２２３と、一定時間経過後、プログラマブルカウンタ２２３をリセットするカウンタリセットタイマ２２２と、プログラマブルカウンタ２２２がフルカウントした際にＬＡＮ信号中継器２１に対して一定の間、光出力を停止して再開させる光出力リセットタイマ２２４とから構成されている。
【００３１】
カウンタリセットタイマ２２２のカウンタリセット時間、プログラマブルカウンタ２２３の障害通知符号カウントの閾値、光出力リセットタイマ２２４の光出力時間は外部から任意に設定自在となっている。尚、図示していないが、光出力制御器１１は上記の光出力制御器２２と同様の構成となっており、光出力制御器２２と同様の動作を行う。
【００３２】
図３は図１のＬＡＮ信号中継器１１の詳細な構成を示すブロック図である。図３において、ＬＡＮ信号中継器１１はＴｒａｎｓｐａｒｅｎｔ−ＧＦＰ部１１１と、ＳＯＮＥＴ（Ｓｙｎｃｈｒｏｎｏｕｓ  Ｏｐｔｉｃａｌ  ＮＥＴｗｏｒｋ）伝送器１１２とから構成されている。ＬＡＮ信号は、一例として、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  ｓｔａｎｄａｒｄｉｚａｔｉｏｎ  ｓｅｃｔｏｒ）勧告Ｇ．７０４１にて規定されるＴｒａｎｓｐａｒｅｎｔ−ＧＦＰにてカプセル化されて伝送されるものとする。
【００３３】
Ｔｒａｎｓｐａｒｅｎｔ−ＧＦＰ部１１１はＬＡＮ機器３から入力されたＬＡＮ信号をＴｒａｎｓｐａｒｅｎｔ−ＧＦＰフレームでカプセル化してＳＯＮＥＴ伝送器１１２へ送信する。また逆に、Ｔｒａｎｓｐａｒｅｎｔ−ＧＦＰ部１１１はＳＯＮＥＴ伝送器１１２から入力されたＴｒａｎｓｐａｒｅｎｔ−ＧＦＰフレームからＬＡＮ信号を取出してＬＡＮ機器３へ送信する。
【００３４】
ＳＯＮＥＴ伝送器１１２はＴｒａｎｓｐａｒｅｎｔ−ＧＦＰ部１１１から入力された信号をＳＯＮＥＴのペイロードにマッピングして中継伝送装置２へ送信する。また逆に、ＳＯＮＥＴ伝送器１１２は中継伝送装置２から入力されたＳＯＮＥＴのペイロードから信号を取出してＴｒａｎｓｐａｒｅｎｔ−ＧＦＰ部１１１に送信する。
【００３５】
図４は図１のＬＡＮ信号中継器２１の詳細な構成を示すブロック図である。図４において、ＬＡＮ信号中継器２１はＴｒａｎｓｐａｒｅｎｔ−ＧＦＰ部２１１と、ＳＯＮＥＴ伝送器２１２とから構成されている。
【００３６】
Ｔｒａｎｓｐａｒｅｎｔ−ＧＦＰ部２１１はＬＡＮ機器４から入力されたＬＡＮ信号をＴｒａｎｓｐａｒｅｎｔ−ＧＦＰフレームでカプセル化してＳＯＮＥＴ伝送器２１２へ送信する。また逆に、Ｔｒａｎｓｐａｒｅｎｔ−ＧＦＰ部２１１はＳＯＮＥＴ伝送器２１２から入力されたＴｒａｎｓｐａｒｅｎｔ−ＧＦＰフレームからＬＡＮ信号を取出してＬＡＮ機器４へ送信する。
【００３７】
ＳＯＮＥＴ伝送器２１２はＴｒａｎｓｐａｒｅｎｔ−ＧＦＰ部２１１から入力された信号をＳＯＮＥＴのペイロードにマッピングして中継伝送装置１へ送信する。また逆に、ＳＯＮＥＴ伝送器２１２は中継伝送装置１から入力されたＳＯＮＥＴのペイロードから信号を取出してＴｒａｎｓｐａｒｅｎｔ−ＧＦＰ部２１１に送信する。
【００３８】
図５は本発明の一実施例によるネットワークの障害発生時の動作を示すタイミングチャートである。これら図１〜図５を参照して本発明の一実施例によるネットワークの障害発生時の動作について説明する。
【００３９】
ＬＡＮ機器３から送出されるＬＡＮ信号は光ファイバ１０１を介して中継伝送装置１に入力され、ＬＡＮ信号中継器１１に入力される。ＬＡＮ信号中継器１１に入力されたＬＡＮ信号はＬＡＮ信号中継器１１内部のＴｒａｎｓｐａｒｅｎｔ−ＧＦＰ部１１１に入力され、ＧＦＰフレームにカプセル化される。
【００４０】
ＬＡＮ信号中継器１１内部のＳＯＮＥＴ伝送器１１２はＴｒａｎｓｐａｒｅｎｔ−ＧＦＰ部１１１によってカプセル化されたＬＡＮ信号をＳＯＮＥＴのペイロードにマッピングして中継伝送装置２に伝送する。
【００４１】
中継伝送装置２に入力されたＳＯＮＥＴ信号は中継伝送装置２内のＳＯＮＥＴ伝送器２１２によってＳＯＮＥＴフレームが終端され、Ｔｒａｎｓｐａｒｅｎｔ−ＧＦＰ部２１１に入力される。中継伝送装置２内部のＴｒａｎｓｐａｒｅｎｔ−ＧＦＰ部２１１に入力された信号はＧＦＰフレームが終端されてＬＡＮ信号となり、ＬＡＮ機器４へ伝送される。
【００４２】
光ファイバ１０２に障害が起こった場合、ＬＡＮ信号中継器１１内部のＴｒａｎｓｐａｒｅｎｔ−ＧＦＰ部１１１はＩＴＵ−Ｔ勧告Ｇ．７０４１で勧告されている障害通知符号である１０Ｂ−Ｅｒｒコードを生成し、ＧＦＰフレームにカプセル化する。
【００４３】
その生成された１０Ｂ−Ｅｒｒコードを含むＧＦＰフレームはＳＯＮＥＴ伝送器１１２によってＳＯＮＥＴフレームにマッピングされ、中継伝送装置２に入力され、中継伝送装置２内部のＳＯＮＥＴ伝送器２１２と光出力制御器２２とに入力される。
【００４４】
光出力制御器２２に入力されたＧＦＰフレームに１０Ｂ−Ｅｒｒコードが含まれている場合、光出力制御器２２内部のエラー検出器２２１はプログラマブルカウンタ２２３に対してエラーを通知する。すなわち、プログラマブルカウンタ２２３は１０Ｂ−Ｅｒｒコードの数をカウントする。
【００４５】
１０Ｂ−Ｅｒｒコードの数がプログラマブルカウンタ２２３に外部から設定されている閾値に達すると、光出力リセットタイマ２２４にフルカウント信号が通知され、光出力リセットタイマ２２４はＴｒａｎｓｐａｒｅｎｔ−ＧＦＰ部２１１に対して、外部から設定された任意時間、光出力を停止して再開する制御信号を出力する。
【００４６】
光出力制御器２２内部のカウンタリセットタイマ２２２は、外部から設定された任意の時間毎に、プログラマブルカウンタ２２３を強制的に初期化する。つまり、光出力制御器２２はカウントリセットタイマ２２２の設定時間毎に１０Ｂ−Ｅｒｒコードの数をカウントして監視する機能を有する。
【００４７】
以上述べたように、本実施例では、１０Ｂ−Ｅｒｒを監視してカウントする光出力制御器１２，２２によって、中継伝送装置１，２のそれぞれの光出力の停止／再開が行われるので、中継伝送装置１，２ではオートネゴシエーションが成立し、デッドロック状態を回避することになる。
【００４８】
このように、本実施例では、中継伝送装置１，２を伴うＬＡＮ機器３，４間の接続におけるＬＡＮ伝送路区間に障害が発生した場合に、中継伝送装置１，２が障害通知符号を用いて、ＬＡＮ機器３，４間の光出力の切断及び再開を行っているので、ＬＡＮ機器３，４に対して確実なリンクアップを行うことができ、リンクが回復しないデッドロック状態を回避することができる。
【００４９】
また、本実施例では、中継伝送装置１，２が行う障害通知符号を監視し、光出力を停止及び再開する機構を外部制御によって任意に設定することができるので、あらゆる種類のＬＡＮ機器３，４間の接続に対しても、上記と同様の効果が期待される。
【産業上の利用可能性】
【００５０】
本発明は、中継伝送を行うものとしてＳＯＮＥＴ伝送器を用いているが、ＷＤＭ（Ｗａｖｅｌｅｎｇｔｈ  Ｄｉｖｉｓｉｏｎ  Ｍｕｌｔｉｐｌｅｘｉｎｇ）伝送を行うものに対しても適用可能である。また、本発明は、ＬＡＮ［ギガビットイーサネット（Ｒ）やイーサネット（Ｒ）］信号をカプセル化するものとして、Ｔｒａｎｓｐａｒｅｎｔ−ＧＦＰ部を用いているが、ＬＡＮ伝送路の障害を障害通知符号として転送可能なカプセル化を行うものであれば、適用可能である。
【図面の簡単な説明】
【００５１】
【図１】本発明の一実施例によるネットワークの構成を示すブロック図である。
【図２】図１の光出力制御器の詳細な構成を示すブロック図である。
【図３】図１のＬＡＮ信号中継器の詳細な構成を示すブロック図である。
【図４】図１のＬＡＮ信号中継器の詳細な構成を示すブロック図である。
【図５】本発明の一実施例によるネットワークの障害発生時の動作を示すタイミングチャートである。
【図６】従来例によるネットワークの障害発生時の動作を示すタイミングチャートである。
【符号の説明】
【００５２】
１，２  中継伝送装置
３，４  ＬＡＮ機器
１１，２１  ＬＡＮ信号中継器
１２，２２  光出力制御器
１０１，１０２，
２０１，２０２  光ファイバ
１１１，２１１  Ｔｒａｎｓｐａｒｅｎｔ−ＧＦＰ部
１１２，２１２  ＳＯＮＥＴ伝送器
２２１  エラー検出器
２２２  カウンタリセットタイマ
２２３  プログラマブルカウンタ
２２４  光出力リセットタイマ
【図１】
2005136530.tif 000003
【図２】
2005136530.tif 000004
【図３】
2005136530.tif 000005
【図４】
2005136530.tif 000006
【図５】
2005136530.tif 000007
【図６】
2005136530.tif 000008